【事件の表示】
　上記当事者間の登録第２２５２５４４号商標の登録取消審判事件について，次のとおり審決する。
【結　論】
　登録第２２５２５４４号商標の商標登録は取り消す。
　審判費用は，被請求人の負担とする。
【理　由】
１　本件商標
　本件登録第２２５２５４４号商標（以下「本件商標」という。）は，別掲のとおりの構成からなり，昭和６１年５月１５日に登録出願，第２２類「はき物」を指定商品として，平成２年７月３０日に設定登録され，その後，平成１２年５月１６日及び平成２２年８月３日の２回にわたり商標権の存続期間の更新登録がされ，さらに，平成２２年８月１８日に，指定商品を第２５類「履物」とする指定商品の書換の登録がされたものであり，その商標権は，現に有効に存続しているものである。
　
２　請求人の主張
　請求人は，結論同旨の審決を求めると申し立て，その理由及び答弁に対する弁駁を要旨次のとおり述べた。
（１）請求の理由
　本件商標は，その指定商品について，継続して３年以上日本国内において商標権者，専用使用権者又は通常使用権者のいずれによっても使用された事実がないから，その登録は，商標法第５０条第1項の規定により，取り消されるべきである。
（２）答弁に対する弁駁
　ア　本件商標は，丸みを帯びた二重の正方形の中に矢印のような図形を配した図形部分と，「ＳＰＩＲＡＬＥ」及び「スパイラル」の文字を二段書きした文字部分が結合したひとまとまりの商標である。
　イ　しかしながら，乙各号証の中には，「Ｓｐｉｒａｌｅ」，「ＳＰＩＲＡＬＥ」又は「スパイラル」の文字が表示されている事実が認められるものの，いずれにも本件商標の構成要素である図形部分は表示されていない。
　本件商標中の図形部分は，独立して商品の出所表示機能を充分に果たし得るものであって，単に付記的部分であるということはできないものである。そうすると，当該図形部分を伴わない「Ｓｐｉｒａｌｅ」，「ＳＰＩＲＡＬＥ」又は「スパイラル」のみの使用は，本件商標と社会通念上同一の商標の使用であるとは到底いい得ないものである。
　したがって，本件商標中の当該図形部分が他の構成要素とともに「履物」について使用された事実が証明されない以上，被請求人の示す使用例が，本件商標と社会通念上同一の商標の使用事実と認められる余地はない。
　ウ　以上の理由から，乙各号証は，本件審判請求の登録前３年以内の本件商標の日本国内における指定商品「履物」についての使用事実を立証するものではない。
　
３　被請求人の主張
　被請求人は，「本件審判の請求は成り立たない。審判費用は請求人の負担とする。」との審決を求めると答弁し，その理由を要旨次のとおり述べ，証拠方法として，乙第１号証ないし乙第６号証（枝番を含む。）を提出した。
（１）使用の事実
　商標権者又は商標権者から使用許諾を得ている通常使用権者は，以下のとおり，本件商標を，指定商品「履物（靴）」について，審判請求の登録前３年以上継続して日本国内において使用しており，現在も継続して使用している。
　ア　乙第２号証は，使用状態を示す写真である。
　乙第２号証の１は，靴箱内に靴が収納され，蓋を開いた状態で該蓋及びタグに「Ｓｐｉｒａｌｅ」の欧文字が表示されている，乙第２号証の２は，その靴箱から靴を取り出した状態，乙第２号証の３は，その靴の中底面に「Ｓｐｉｒａｌｅ」の欧文字が表示されている状態，乙第２号証の４は，該タグを拡大した状態，乙第２号証の５は，該タグを開き内面にも「Ｓｐｉｒａｌｅ」の欧文字が表示されている状態，乙第２号証の６は，該タグを外した状態で靴箱の上面及び靴の中底面に「Ｓｐｉｒａｌｅ」の欧文字が表示されている，乙第２号証の７ないし１０は，靴箱を示す状態でその上面や側面に「Ｓｐｉｒａｌｅ」の欧文字が明確に表示されていると共に品番としての「ＤＲ５０１８」やカラーとしての「ＢＬＡＣＫ」，販売会社としての「ＳＥＣＡＩＣＨＯ　ＣＯＲＰＯＲＡＴＩＯＮ」などが明らかにされている。乙第２号証の１１は，これらの写真を撮影（作成）した事実の説明書である。
　乙第２号証に示された履物（靴）は，世界長株式會社（以下「世界長」という。）の販売に係る商品であり，世界長は，本件商標の商標権者の１００％出資子会社であって使用許諾を得ている通常使用権者である。
　イ　乙第３号証は，世界長の販売に係る履物（靴）における２０１０年の新商品である「ＳＰＩＲＡＬＥ」の資料であり，イメージ写真，商品番号やカラーの記号などが掲載されている。
　ウ　乙第４号証及び乙第５号証は，発注書及び売上伝票の写しである。
　乙第４号証には，世界長が納入者である株式会社ローウェルジャパンに発注した日付（平成２２年３月２５日，平成２２年５月２４日）が明示されており，ブランド名として「ＳＰＩＲＡＬＥ」及び商品名／品番，カラーの記載もあり，該商品名／品番，カラーは乙第３号証の記載内容と一致するものである。
　乙第５号証には，世界長が販売店である得意先名（セシール志度商品加エセンター，株式会社ワシントン靴店本部，株式会社ダイワ靴店など）と出荷日付（１０年７月２９日，１０年８月５日，１０年９月６日）と商品コード・品名が明示されている。該商品コード・品名などは，乙第３号証の記載内容と一致するものである。
　エ　乙第６号証は，インターネット「Ｇｏｏｇｌｅ」における「スパイラル靴」の検索資料である。乙第６号証に掲載されている品番（ＤＲ−Ｓ５００８・５００９・５０１０など）は，乙第３号証に掲載されている品番とは異なるが，２０１０年製品以前の例えば，２００９年製品の品番であり，商品名・ブランド名としては「スパイラル」，「Ｓｐｉｒａｌｅ」として通販されている商品である。
　オ　以上の乙号証は，本件商標の使用の事実を示す一例であるが，これらから商品「履物（靴）」について「ＳＰＩＲＡＬＥ」，「スパイラル」，「ｓｐｉｒａｌｅ」の文字が商標として表示されて使用されている事実が明らかであり，かつ，本件審判の請求の登録前３年以内に係る期間内であることも明らかである。
（２）むすび
　よって，本件商標は，その登録を取消される理由がない。
　
４　当審の判断
（１）乙第２号証の１ないし乙第６号証の４によれば，以下の事実を認めることができる。
　ア　乙第２号証の１ないし１１は，平成２３年３月３日に撮影された使用に係る商品「紳士靴」・その包装箱・紳士靴に付されたタグの各写真及び撮影（作成）説明書であるところ，包装箱の上蓋の上面及び側面には，「Ｓｐｉｒａｌｅ」の文字が大きく表示され，その下に，「ｂｙ　Ｄｒ．ＡＳＳＹ」の文字がやや小さく表示されている。また，靴の中底面，タグにも同様に，「Ｓｐｉｒａｌｅ」の文字が大きく表示され，その下に，「ｂｙ　Ｄｒ．ＡＳＳＹ」の文字がやや小さく表示されている（なお，タグを開いた状態の内側の表示は，「Ｓｐｉｒａｌｅ」の文字と「ｂｙ　Ｄｒ．ＡＳＳＹ」の文字とは，離れた状態で表示されている。）。さらに，包装箱のうち，靴を収納する箱の側面には，「Ｄｒ．ＡＳＳＹ」，「ＤＲ５０１８」，「２５．０ｃｍ」，「ＢＬＡＣＫ」などと記載され，他の側面には，「ＳＥＣＡＩＣＨＯ　ＣＯＲＰＯＲＡＴＩＯＮ」の文字が表示されている。
　イ　乙第３号証は，「２０１０ＡＷ新製品」，「ＳＰＩＲＡＬＥ」との表示のもとに，４種類の品番の紳士靴が掲載された印刷物であるところ，これらの品番は，上から順に，「Ｄｒ５０１５」，「Ｄｒ５０１６」，「Ｄｒ５０１７」，「Ｄｒ５０１８」と記載されている。
　ウ　乙第４号証の１及び２は，世界長が「（株）ローウェルジャパン」に宛てた平成２２年３月２５日付け及び平成２２年５月２４日付けの「発注書」であるところ，ここには，「ブランド名　ＳＰＩＲＡＬＥ　ｂｙ　Ａｓｓｙ　新製品」と記載され，「商品名／品番」欄には，乙第３号証に記載された品番と同一と認められる「ＤＲ５０１５」，「ＤＲ５０１６」，「ＤＲ５０１７」，「ＤＲ５０１８」の記載がある。
　エ　乙第５号証の１ないし１０は，世界長がその顧客である「セシール志度商品加エセンター」，「株式会社ワシントン靴店本部」，「株式会社ダイワ靴店」に宛てた，出荷日を２０１０年７月２９日，２０１０年８月５日，２０１０年９月６日とする「売上伝票」１０通であるところ，その「商品コード・品名」欄には，それぞれ「ＤＲ−５０１５」，「ＤＲ−５０１７」の記載がある。
　オ　乙第６号証の１ないし４は，「スパイラル」，「Ｓｐｉｒａｌｅ」と表示された紳士靴がインターネットを介して通信販売されている事実を示すものであるが，ここには，世界長や商標権者の名称はなく，インターネット上で通信販売する第三者の名称が掲載されている。
（２）前記（１）で認定した事実によれば，本件商標の通常使用権者と認められる世界長（当事者間に争いのない事実。）は，その販売に係る商品「紳士靴」について，「Ｓｐｉｒａｌｅ」又は「ＳＰＩＲＡＬＥ」の文字よりなる商標を付して，本件審判の請求の登録（平成２３年１月１８日）前３年以内に，日本国内に所在する靴販売会社に販売していたと推認することができる。
（３）そこで，通常使用権者の使用に係る商標「Ｓｐｉｒａｌｅ」（以下「使用商標１」という。）及び「ＳＰＩＲＡＬＥ」（以下「使用商標２」という。）が本件商標と社会通念上同一と認められる商標であるか否かについて，以下，検討する。
　本件商標は，別掲のとおり，四隅を丸くした二重の正方形状輪郭内に，鉤状の図形を配した図形を描き，その下に，「ＳＰＩＲＡＬＥ」の文字と「スパイラル」の文字を二段に横書きした，図形と文字とを結合した構成からなるものである。そして，本件商標中の図形部分（以下「本件図形」という。）は，本件商標中，看者の注意を引くように，上段に大きく描かれているものであり，他方，本件図形の下に横書きされた「ＳＰＩＲＡＬＥ」，「スパイラル」の各文字部分も，本件図形と大きさの点において，優劣をつけがたい程度に看者の注意を引くような大きさで書されているものであって，本件図形と文字部分は，これらが本件商標中に占める大きさからみて，いずれもが主要部分として認識されるものであって，いずれかが付記的な部分として認識されるというものではない。
　これに対して，使用商標１は，本件商標中の欧文字部分である「ＳＰＩＲＡＬＥ」の２文字以下を小文字で表したものの使用であり，使用商標２は，本件商標中の欧文字部分の使用であるから，使用商標１及び２は，本件商標において要部と認識される本件図形が存在しない。
　してみると，使用商標１及び２は，本件商標とは，外観において著しく異なるものであるから，外観上同視することができない商標というべきであって，本件商標と社会通念上同一と認められる商標ということはできない。
　なお，付言すれば，本件商標中の「ＳＰＩＲＡＬＥ」の文字部分は，その下に「スパイラル」の片仮名表記があるものの，「スパイラル」と発音される英語「ｓｐｉｒａｌ」ではなく，「スピラレ」あるいは「スピラル」と発音されるフランス語，イタリア語又はドイツ語と認められるから，使用商標１及び２は，必ずしも「スパイラル」の称呼のみが生ずるものではない。また，被請求人は，「スパイラル」，「Ｓｐｉｒａｌｅ」と表示された紳士靴が通信販売されている事実を示す乙第６号証の１ないし４を提出するが，これらの証拠は，前記（１）オ認定のとおり，世界長や商標権者の名称はないから，当該証拠をもって，世界長や商標権者が紳士靴について，「スパイラル」，「Ｓｐｉｒａｌｅ」の各商標の使用をしているものと認めることはできない。
　以上によれば，本件商標の通常使用権者は，本件審判の請求の登録前３年以内に，本件商標ないしこれと社会通念上同一と認められる商標の使用をしていなかったものといわざるを得ない。その他，商標権者ないし通常使用権者が，本件審判の請求の登録前３年以内に，請求に係る指定商品のいずれかについて，本件商標の使用をしていたことを認めるに足りる証拠は見出せない。
（４）むすび
　以上のとおりであるから，被請求人は，本件審判の請求の登録前３年以内に日本国内において，商標権者，専用使用権者又は通常使用権者のいずれかが請求に係る指定商品のいずれかについて，本件商標の使用をしていたことを証明したとはいえず，また，使用をしていないことについて，正当な理由があることも明らかにしていない。
　したがって，本件商標の登録は，商標法第５０条の規定により，取り消すべきものとする。
　よって，結論のとおり審決する。